【手続補正書】
【提出日】平成19年6月27日(2007.6.27)
【手続補正１】
【補正対象書類名】特許請求の範囲
【補正対象項目名】全文
【補正方法】変更
【補正の内容】
【特許請求の範囲】
【請求項１】
機体を自走させる走行装置（２）と、搭乗した操縦者が機体の操縦を行なう操縦部（３）と、根菜類を圃場から引抜き搬送し茎葉部を切断して根菜類の根部側を収穫する収穫部（４）と、該収穫部（４）により収穫された根菜類を搬送しながら根菜類に残る不要な茎葉部を除去する残葉処理部（５）と、収穫した根菜類を収容する収容袋（Ｂ）を設置する回収部（６）と、前記収穫部（４）から根菜類を受け取って前記回収部（６）に搬送する搬送部（７）を設けた根菜類収穫機において、前記収穫部（４）を機体の横一側の機体前側から後側にわたって配置し、前記操縦部（３）を機体の横他側の前側に配置し、前記回収部（６）を前記操縦部（３）より機体後側で且つ機体左右方向外側に配置し、根菜類を前記残葉処理部（５）で不要な茎葉部を除去処理して排出すると共に搬送部（７）へ搬送する構成とし、前記搬送部（７）を、前記残葉処理部（５）から前記回収部（６）に向けて横方向に搬送する構成とし、回収部（６）に収容袋（Ｂ）の底部を支持する支持台（３９）を設け、前記搬送部（７）の搬送終端部に収容袋（Ｂ）の上部開口部を広げた状態で支持する収容袋上部支持手段（４０）を設けると共に、搬送部（７）の搬送終端部側を昇降させる昇降駆動装置（４４）を設けたことを特徴とする根菜類収穫機。
【請求項２】
前記残葉処理部（５）の側方に前記搬送部（７）で搬送される根菜類の選別作業を行う作業者が搭乗するためのステップ（４１）を設けたことを特徴とする請求項１記載の根菜類収穫機。
【請求項３】
前記ステップ（４１）に前記搬送部（７）で搬送される根菜類の選別作業を行う作業者が座る座席（４２）を設けたことを特徴とする請求項２記載の根菜類収穫機。
【手続補正２】
【補正対象書類名】明細書
【補正対象項目名】全文
【補正方法】変更
【補正の内容】
【発明の詳細な説明】
【発明の名称】根菜類収穫機
【技術分野】
【０００１】
本発明は、布などの柔軟な素材で袋状に形成した農作物の収容袋に収穫した根菜類を収容するように構成した根菜類収穫機に関するものである。
【背景技術】
【０００２】
従来、下記特許文献１に記載されているように、機体を自走させる走行装置と、搭乗した操縦者が機体の操縦を行なう操縦部と、根菜類を圃場から引抜き搬送し茎葉部を切断して根菜類の根部側を収穫する収穫部と、該収穫部により収穫された根菜類を搬送しながら根菜類に残る不要な茎葉部を除去する残葉処理部と、収穫した根菜類を収容する収容袋を設置する回収部と、前記収穫部から収穫物を受け取って前記収容部に搬送する搬送部を設け、機体の左側部に前側から後側にわたって前記収穫部を配置し、機体の右側前部に前記操縦部を配置するとともに、該操縦部の後方近傍に前記回収部を配置し、前記搬送部に、前記収穫部側から前記収容部の後方個所に向けて横方向に搬送する横搬送部と、該横搬送部から根菜類を引継いで機体後側から前側上方に持上げ搬送して前記回収部に設置した収容袋の上側開口部内に根菜類を放出する縦搬送部を設けた構成とした根菜類収穫機がある。
【特許文献１】特開２００４−８９０６３号公報
【発明の開示】
【発明が解決しようとする課題】
【０００３】
前記特許文献１に記載の根菜類収穫機は、前記収穫部により収穫された根菜類を、収穫部の後部に設ける前記残葉処理部において機体後方に搬送しながら処理して右側方に排出し、継いで、横搬送部で機体右側方に搬送し、更に、縦搬送部で機体前側上方に持上げ搬送して、前記操縦部の後方近傍に配置した前記回収部の収容袋内に放出する構成としている。このため、機体が前後に長い構成となり、圃場端などで機体を旋回するときに幅広い領域を必要として機体の操縦性があまり良くない。また、回収部を操縦部と縦搬送部に前後に挟まれた個所に形成しているので、その回収部に設置できる収容袋の前後幅が回収部の前後幅に制限され、大きい収容袋が使用しにくく作業能率の向上が図りにくい点もある。
【０００４】
そこで、本発明は、収穫した根菜類を収容袋に収容する構成とし、且つ、収穫部により収穫された根菜類に残存する不要な茎葉部を除去する残葉処理部を備えた根菜類収穫機にあって、機体の前後長が短い構成として操縦性を良好にし、且つ、大きい収容袋でも使用し易い構成として作業能率の向上が図れるようにすることを課題とする。
【課題を解決するための手段】
【０００５】
本発明は、上記課題を解決するために、以下のような技術的手段を講じた。
請求項１記載の発明は、機体を自走させる走行装置（２）と、搭乗した操縦者が機体の操縦を行なう操縦部（３）と、根菜類を圃場から引抜き搬送し茎葉部を切断して根菜類の根部側を収穫する収穫部（４）と、該収穫部（４）により収穫された根菜類を搬送しながら根菜類に残る不要な茎葉部を除去する残葉処理部（５）と、収穫した根菜類を収容する収容袋（Ｂ）を設置する回収部（６）と、前記収穫部（４）から根菜類を受け取って前記回収部（６）に搬送する搬送部（７）を設けた根菜類収穫機において、前記収穫部（４）を機体の横一側の機体前側から後側にわたって配置し、前記操縦部（３）を機体の横他側の前側に配置し、前記回収部（６）を前記操縦部（３）より機体後側で且つ機体左右方向外側に配置し、根菜類を前記残葉処理部（５）で不要な茎葉部を除去処理して排出すると共に搬送部（７）へ搬送する構成とし、前記搬送部（７）を、前記残葉処理部（５）から前記回収部（６）に向けて横方向に搬送する構成とし、回収部（６）に収容袋（Ｂ）の底部を支持する支持台（３９）を設け、前記搬送部（７）の搬送終端部に収容袋（Ｂ）の上部開口部を広げた状態で支持する収容袋上部支持手段（４０）を設けると共に、搬送部（７）の搬送終端部側を昇降させる昇降駆動装置（４４）を設けたことを特徴とする根菜類収穫機とした。
【０００６】
請求項２記載の発明は、前記残葉処理部（５）の側方に前記搬送部（７）で搬送される根菜類の選別作業を行う作業者が搭乗するためのステップ（４１）を設けたことを特徴とする請求項１記載の根菜類収穫機とした。
【０００７】
請求項３記載の発明は、前記ステップ（４１）に前記搬送部（７）で搬送される根菜類の選別作業を行う作業者が座る座席（４２）を設けたことを特徴とする請求項２記載の根菜類収穫機とした。
【０００８】
上記構成とした請求項１記載の根菜類収穫機は、走行装置（２）により機体が自走し、操縦部（３）に搭乗した操縦者によって機体の操縦が行なわれる。そして、圃場内を走行して、機体の横一側の機体前側から後側にわたって配置された収穫部（４）が、根菜類を圃場から引抜き搬送し茎葉部を切断して根菜類の根部側を収穫する。該収穫部（４）により収穫された根菜類は、残葉処理部（５）により残存する不要な茎葉部を処理されて搬送部（７）へと搬送され、除去処理された茎葉部は残葉処理部（５）から排出される。そして、該搬送部（７）へと搬送された根菜類は機体の横他側の前側に配置した操縦部（３）より機体後側で且つ機体左右方向外側に配置した回収部（６）に向けて横方向に搬送される。この搬送部（７）で搬送された根菜類は、回収部（６）に設置された支持台（３９）に底部を支持されると共に、昇降駆動装置（４４）によって昇降する搬送部（７）の搬送終端部に設けた収容袋上部支持手段（４０）に上部開口部を広げられた状態で支持される収容袋（Ｂ）内に放出されて収容される。
請求項２記載の根菜類収穫機は、更に、残葉処理部（５）の側方に設けたステップ（４１）上に作業者が搭乗し、この作業者が搬送部（７）で搬送される根菜類の選別作業を行う。
請求項３記載の根菜類収穫機は、ステップ（４１）上に搭乗した作業者が、搬送部（７）を向いた姿勢で座席（４２）に座って根菜類の選別作業を行う。
【発明の効果】
【０００９】
請求項１記載の発明は、収穫部（４）に収穫された根菜類に残る不要な茎葉部を残葉処理部（５）で除去して排出すると共に、茎葉部を除去された根菜類を搬送部（７）へ搬送し、収穫部（４）を配置した側とは左右反対側に配置した回収部（６）へと搬送するものであるため、収穫部（４）から回収部（６）への根菜類の搬送経路が機体横方向になるので、従来よりも機体の前後長を短く構成することができ、機体の操縦性が良好なものとなる。
また、回収部（６）を操縦部（３）より機体後側で且つ機体左右方向外側に配置したことによって、従来よりも大きな収容袋を設置することができるので、一度に多くの根菜類を収容することができるようになり、作業能率が向上する。
そして、収穫した根菜類を回収部（６）に設けた支持台（３９）で底部を支持したことによって、収容袋（Ｂ）は機体前後方向及び左右方向に広く開放された状態となるため、収容袋（Ｂ）は支持台（３９）上からある程度はみ出るような大きくても設置できると共に、機体の前後方向及び左右方向に膨みながら根菜を収容することができるので、収容袋（Ｂ）には多くの根菜類が収容され、作業能率が向上する。
また、収容袋（Ｂ）を搬送部（７）の搬送終端部に設けた収容袋上部支持手段（４０）で上部開口部を広げた状態で支持すると共に、搬送部（７）の昇降駆動装置（４４）によって搬送部（７）の終端部を昇降可能に構成したことによって、根菜類を収容し始めるときは搬送部（７）の搬送終端部側を下降させておき、収容袋（Ｂ）の根菜類の収容量が増えていくに従い搬送部（７）の搬送終端部側を上昇させていくことができるので、根菜類が収容袋（Ｂ）内に落下する距離を小さくすることができると共に、収容袋（Ｂ）から根菜類が溢れ出ないようにしながら満杯状態になるまで根菜類を収容することができる。
【００１０】
請求項２記載の発明は、更に、残葉処理部５の側方に形成される空間を利用して、そこに、搬送部７で搬送される根菜類の選別作業を行う作業者が搭乗できるようにしたものなので、根菜類の選別作業を機体に搭乗して楽に行なえ、且つ、機体構成もコンパクトなものとなる。
【００１１】
請求項３記載の発明は、更に、根菜類の選別作業を行う作業者が座る座席４２を設けたものなので、根菜類の選別作業を一層楽に行なえ、且つ、機体構成もコンパクトなものとなる。
【発明を実施するための最良の形態】
【００１２】
本発明を実施するための最良の形態の一つとして、人参等の根菜類を圃場から収穫する根菜類収穫機がある。以下に、本発明を実施した根菜類収穫機について詳細に説明する。
【実施例１】
【００１３】
図面に示した根菜類収穫機１は、機体を自走させる走行装置２と、搭乗した操縦者が機体の操縦を行なう操縦部３と、根菜類を圃場から引抜き搬送し茎葉部を切断して根菜類の根部側を収穫する収穫部４と、該収穫部４により収穫された根菜類を搬送しながら根菜類に残る不要な茎葉部を除去する残葉処理部５と、収穫した根菜類を収容する収容袋Ｂを設置する回収部６と、前記収穫部４から根菜類を受け取って前記回収部６に搬送する搬送部７を設けた構成としている。
【００１４】
以下に、根菜類収穫機１の各部の具体的な構成を説明する。
走行装置２は、駆動回転する左右一対のクローラ８Ｌ，８Ｒにより構成している。このクローラ８Ｌ，８Ｒの駆動機構は、まず、操縦部３の操縦座席１２の下側に配置したエンジンの動力が、機体前部の低位置に設けたミッション１３に伝動し、該ミッション１３から左右両側に延出させた走行駆動軸が駆動回転し、この走行駆動軸の左右両外端部に取り付けた駆動スプロケット１４，１４が駆動回転して左右のクローラ８Ｌ，８Ｒが駆動される構成となっている。クローラ８Ｌ，８Ｒは、駆動スプロケット１４，１４と機体後部側の転動輪１５，１５、そして、その転動輪１５，１５と駆動スプロケット１４，１４との間に取り付けた転輪１６，１６，１６；１６，１６，１６の周りに巻き掛けて取り付けている。
【００１５】
収穫部４を配置している側（左側）のクローラ８Ｌについては、その転動輪１５と転輪１６，１６，１６を、機体（機体フレーム１７）に設けた前側支持フレーム１８Ｌと後側支持フレーム１９Ｌとに固着された左側転輪支持フレーム２０Ｌに回転自在に取付けている。従って、収穫部４を配置している側（左側）のクローラ８Ｌの下面である接地部は機体に対して上下動操作不能となっている。
【００１６】
回収部６を配置した側（右側）のクローラ８Ｒについては以下のように構成している。まず、機体（機体フレーム１７）に設けた前側支持フレーム１８Ｒと後側支持フレーム１９Ｒとにそれぞれ軸心が横方向のスイング軸２１，２１を設け、該前後のスイング軸２１，２１に上方と後方にアーム部がのびるスイングアーム２２，２２を回動自在に取付け、該スイングアーム２２，２２の上方にのびるアーム部の先端部を連結ロッド２３の前後端部に横軸回り回転自在に連結し、スイングアーム２２，２２の後方にのびるアーム部の先端部を右側転輪支持フレーム２０Ｒに横軸回り回転自在に取付けている。そして、右側転輪支持フレーム２０Ｒに転動輪１５と転輪１６，１６，１６を回転自在に取付けている。また、後側のスイングアーム２２の上方にのびるアーム部の先端部には、更に、シリンダ基部を機体（機体フレーム１７）の後部側に横軸回り回動自在に取付けた油圧シリンダ２４のピストンロッド先端部を連結している。従って、油圧シリンダ２４が作動してそのピストンロッドが機体前後方向に移動すると、前後のスイングアーム２２，２２がスイング軸２１，２１回りに回動して右側転輪支持フレーム２０Ｒが上下動するとともに転動輪１５と転輪１６，１６，１６が上下動して、回収部６を配置した側（右側）のクローラ８Ｒの下面である接地部は機体に対して上下動操作可能となっている。なお、後側支持フレーム１９Ｒのスイング軸２１には、クローラ８Ｒの上側の内側面に転動可能に接する転輪２５を回転自在に設けている。
【００１７】
クローラ８Ｌ，８Ｒの内側面の左右中央側に転動輪１５の外周部が左右にずれないよう転動輪１５の外周部の左右両側部を挟むように突出する左右の突起２６，２６・・・が形成されている。また、この左右の突起２６，２６・・・の間に入り込んでクローラを案内する棒状のガイド部材２７，２７；２７，２７がクローラ下側の内面側に接するように転輪支持フレーム２０Ｌ，２０Ｒに取付けている。このガイド部材２７，２７の転動輪１５，１５に近接する後端部の上側は、後下がり傾斜面を形成して転動輪１５，１５とクローラの間にできるだけ入り込むように設けていて、ガイド部材２７，２７の下面側ガイド作用部ができるだけ長く形成されるようにし、クローラの外れ防止効果を向上させている。なお、クローラの外周面には、横方向にのびるラグ２８・・・をクローラ回転方向一定間隔ごとに形成している。
【００１８】
収穫部４は、根菜類の茎葉部を挟持して搬送する搬送作用部として左右挟持搬送ベルト９Ｌ，９Ｒを備える。この左右挟持搬送ベルト９Ｌ，９Ｒは、機体前部側の左右に軸架した左右遊動プーリと、機体後部側の左右に設けた左右駆動プーリと、両プーリの前後間に適宜設けたローラとに巻き掛け、且つ、当該左右挟持搬送ベルトの互いに左右対向する周側面が互いに圧接する状態で回転するように構成している。左右駆動プーリがエンジンからの動力を受けて駆動回転すると左右挟持搬送ベルトが互いに圧接するベルト面が後方に移動するよう互い反対方向に回転して、左右のベルトの互いに圧接するベルト面の間に、根菜の茎葉部の基部（根部の肩に近い部分）を挟持して吊り下げ状態で搬送するものとなる。この収穫部４の後部は機体後部側に設けた左右横軸２９回りに回動自在に取り付け、そして、油圧シリンダ３０によって左右挟持搬送ベルト９Ｌ，９Ｒの前部を上下動できる構成としている。従って、左右挟持搬送ベルト９Ｌ，９Ｒの搬送作用部の搬送始端部を地面の高さ変動、搬送作用部が保持しようとする根菜類の茎葉部の状態に合わせて、容易に上下調節できる。
【００１９】
また、収穫部４には、根菜類の茎葉部を切断して根部側から取り除くために切断する切断装置３１も設けている。左右挟持搬送ベルト９Ｌ，９Ｒで根菜類を搬送する途中で根菜類の茎葉部を引継いで挟持して機体後方略水平状に搬送する茎葉搬送ベルト３２，３２を、左右挟持搬送ベルト９Ｌ，９Ｒの終端部分の下方に略水平姿勢で左右一対に設けている。また、この茎葉搬送ベルト３２，３２に茎葉部を引継ぎ搬送するときに、根菜類の根部の上端部に係合して根菜類の上昇を規制し根菜類の高さを切断装置３１に対して設定高さに揃えるための位置揃えベルト３３，３３を設けている。この位置揃えベルト３３，３３の後端部後方に、切断装置３１を構成する左右一対の円板状の切断刃を配置し、搬送されてきた根菜の茎葉部の基部を切断する。切断された根菜類の根部は下方に落下し、茎葉部は茎葉搬送ベルト３２，３２で機体後方に搬送されて機体後部側から排出される。左右挟持搬送ベルト９Ｌ，９Ｒの前側には、該ベルト９Ｌ，９Ｒによる茎葉部の挟持が適確に行われるように前後方向と左右方向に突出するラグを周回させて茎葉部を引起す縦引起し装置３４と横引起し装置３５とを設けている。
【００２０】
収穫部４により引抜き搬送され茎葉部が切断されて落下する根菜類は、残葉処理部５と搬送部７により搬送されて、収穫部４が配置されている側とは左右反対側に配置した回収部６に設置された収容袋Ｂ内に収容される。
【００２１】
残葉処理部５には、収穫部４の後側に設けた切断装置３１の下方から収穫部４が配置されている側とは左右反対側である右側に向けて根菜類を搬送する第一コンベア３６を設けている。そして、搬送部７には、該第一コンベア３６の前側に並行するように位置して第一コンベア３６の搬送方向と同方向に根菜類を搬送する第二コンベア３７を設けている。収穫部４によって搬送され、切断装置３１によって茎葉部が切断されて落下した根菜類は、残葉処理部５の第一コンベア３６上に受けられ機体の右側に向けて搬送され、そして、不要な茎葉部を除去処理されて前側に排出される。そして、搬送部７によって、残葉処理部５の前側個所から機体右側に配置された回収部６に向けて横方向に搬送される。
【００２２】
残葉処理部５の第一コンベア３６は平坦な面を有するベルトコンベアで構成し、その移送下手側のベルト上面に下側がベルト回転方向と同方向に向って駆動回転する残葉処理ローラ３８を、該ローラ前端部側が後端部側に比べて機体の右側になるように平面視傾斜状態で配置して設けている。従って、第一コンベア３６によって根菜が搬送されて残葉処理ローラ３８に当ると、第一コンベア３６の前側に配置した第二コンベア３７上に排出されるようになるが、切断装置３１によって切断された後に根菜の根部側に残っている茎葉部の基部から伸びている葉（残葉）は、第一コンベア３６のベルト上面と残葉処理ローラ３８との間に引き込まれ、そして引きちぎられて取り除かれることになる。
【００２３】
回収部６は、収穫部４が配置されている側とは左右反対側に配置している。本例では、更に、収穫部４は機体の左側の前部側から後部側にわたって配置し、操縦部３を機体の右側の前部に配置し、そして、回収部６は、操縦部３より機体後側で、且つ、操縦部３より機体左右方向外側で、且つ、搬送部７の機体左右方向外側に配置している。このように回収部６を配置したうえで、前記のように残葉処理部５を機体の右側に向けて根菜類を搬送しながら不要な茎葉部を除去処理して前側に排出する構成とし、搬送部７を、残葉処理部５の前側個所から上記のように配置した回収部６に向けて横方向に搬送する構成としたのである。
【００２４】
従って、収穫した根菜類を収容袋Ｂに収容する構成とし、且つ、収穫部４により収穫された根菜類に残存する不要な茎葉部を除去する残葉処理部５を備えた根菜類収穫機において、収穫部４により収穫された根菜類を横方向と前方向への搬送過程を経て且つ後方への搬送過程を経ないで収穫部４を配置した側とは左右反対側に配置した回収部６に搬送するものとなり、従来よりも機体の前後長が短い構成となって、操縦性が良好なものとなる。
【００２５】
また、回収部６には、搬送部７によって搬送されてきた根菜類を内側に収容した収容袋Ｂの底部を支持する支持台３９と、該支持台３９上に設置した収容袋Ｂの上部開口部を広げた状態で支持する収容袋上部支持手段４０を設けている。この支持台３９上に支持された収容袋Ｂは、機体前後方向及び右外側方向に対して広く開放された状態となるので、支持台３９上に設置できる収容袋Ｂの大きさは支持台３９上からある程度はみ出るような大きな収容袋でも設置可能であり、また、この支持台３９上に設置した収容袋Ｂは、根菜類を収容して機体の前後方向及び左右外側方向に比較的大きく膨らみながら根菜類を収容することもできる。よって、大きな収容袋Ｂを設置してその収容袋Ｂに多くの根菜類を収容して収穫作業を行なうことができ、作業能率の向上を図ることができる。
【００２６】
また、残葉処理部５の側方で、且つ、搬送部７の後方個所に搬送部７で搬送される根菜類の選別作業を行う作業者が搭乗するためのステップ４１を設け、更に、ステップ４１の機体平面視後側に搬送部７で搬送される根菜類の選別作業を行う作業者が座る座席４２を設けている。
【００２７】
本例の根菜類収穫機１は、機体を自走させる走行装置２と、搭乗した操縦者が機体の操縦を行なう操縦部３と、根菜類を圃場から引抜き搬送し茎葉部を切断して根菜類の根部側を収穫する収穫部４と、収穫した根菜類を収容する収容袋Ｂを設置する回収部６と、前記収穫部４から根菜類を受け取って前記回収部６に搬送する搬送手段５，７を設けた構成とし、更に、前記搬送手段７の搬送終端部と、前記回収部６に設置した収容袋Ｂの上部開口部を広げた状態で支持する収容袋上部支持手段４０を上下同じ方向に昇降可能に設けた構成としている。
【００２８】
これにより、空の状態の収容袋Ｂに根菜類を収容し始めるときは、搬送手段７の搬送終端部と収容袋上部支持手段４０とを共に低い位置に下降しておけば、根菜類が収容袋Ｂ内に落下する距離を小さくでき、また、根菜類の収容量が次第に増えていくに従い、搬送手段７の搬送終端部と収容袋上部支持手段４０とをともに上昇させていけば、収容袋Ｂから根菜類が溢れ出ないようにしながら満杯状態になるまで収容袋Ｂに根菜類を収容することができる。前記特許文献１に記載される根菜類収穫機では、根菜類が収容袋内に落下する距離を小さくしつつ、根菜類の収容量が増加しても収容袋から根菜類が溢れ出ないで満杯状態になるまで収容袋内に根菜類を収容することができるようにするため、収容袋の底部を支持する支持台を昇降する構成としている。このような構成とすると、大きな荷重がかかる支持台を昇降するため昇降機構を頑丈で強力なものとしなければならず、昇降機構の大型化し、コストアップする問題がある。しかし、上記のように、本例では、収容袋Ｂの底部を支持する支持台３９は昇降しないで、収容袋Ｂの上部開口部を支持する収容袋上部支持手段４０と搬送手段７の搬送終端部とを昇降する構成なので、前記特許文献１に記載される根菜類収穫機のように頑丈で強力な昇降機構は必要とせず、機構の簡略化が図れる効果がある。
【００２９】
また、本例では、収容袋上部支持手段４０を搬送手段７の搬送終端部に取付け、搬送手段７の搬送終端部を収容袋上部支持手段４０とともに昇降する構成としているので、一層、機構の簡略化が図れるものである。
【００３０】
本例の根菜類収穫機１は、機体を前後進可能に自走させる走行装置２と、搭乗した操縦者が機体の操縦を行なう操縦部３と、根菜類を圃場から引抜き搬送し茎葉部を切断して根菜類の根部側を収穫する収穫部４と、収穫した根菜類を収容する収容袋Ｂを設置する回収部６と、前記収穫部４から根菜類を受け取って前記回収部６に搬送する搬送手段５，７を設けた構成とし、更に、前記回収部６に搬送部７によって搬送されてきた根菜類を内側に収容した収容袋Ｂの底部を支持する支持台３９を設け、該支持台３９を前下り姿勢或は後下り姿勢に姿勢変更可能に設けている。したがって、回収部６の収容袋Ｂが根菜類で満杯になってその満杯になった収容袋Ｂを機外に排出する際に、支持台３９を前下り姿勢或は後下り姿勢に姿勢変更するだけで、その傾斜姿勢になった支持台３９上を滑らせて収容袋Ｂを地面に移動させることが容易に行なえ、そして、収容袋Ｂを地面に移動させた後は、機体を後進或は前進させるだけで、地面に移動した収容袋Ｂから機体を離れさすことができる。よって、簡単な構成で、且つ、収容袋Ｂの地面への移動も迅速且つ容易に行なえて作業能率が向上する。
【００３１】
上記構成の具体構成については、本例では、搬送部７の搬送終端部側を搬送始端部側に設けた軸心が前後方向の軸４３回りに上下回動可能に設け、搬送終端部側を上下駆動する昇降駆動装置（図例では電動シリンダ）４４を設け、該昇降駆動装置４４を作業者が任意に作動操作可能に設けている。作動操作具は、図例では、ステップ４１近傍に設けたペダル式操作具４５で行うようにしている。作業者が選別作業を行いながら、収容袋Ｂ内への根菜類の収容状況を確認しながら搬送部７の搬送終端部側を適宜上昇操作するようになる。
【００３２】
支持台３９の姿勢変更機構は、図例では、支持台３９の後端部を機体側に支持した軸心横方向の回動軸４６回りに回動可能に取付け、支持台３９を略水平姿勢から前下り姿勢に変更可能にする姿勢変更操作機構として、支持台３９と一体のアーム４７、該アーム４７に連結する伸縮ロッド４８、該伸縮ロッド４８の後端部側を支持する支持部４９、伸縮ロッド４８を伸縮操作する操作具５０を設け、操作具５０の回動操作により伸縮ロッド４８が伸縮作動し、これによりアーム４７とともに支持台３９が回動軸４６回りに回動するように構成している。
【００３３】
本例の根菜類収穫機１は、機体を自走させる走行装置２と、搭乗した操縦者が機体の操縦を行なう操縦部３と、根菜類を圃場から引抜き搬送し茎葉部を切断して根菜類の根部側を収穫する収穫部４と、該収穫部４により収穫された根菜類を搬送しながら根菜類に残る不要な茎葉部を除去する残葉処理部５と、収穫した根菜類を収容する収容袋Ｂを設置する回収部６と、前記収穫部４から根菜類を受け取って前記回収部６に搬送する搬送部７を設けた構成としたものであり、そして、前記収穫部４を機体の左側の前部側から後部側にわたって配置し、前記操縦部３を機体の右側の前部に配置するとともに、前記回収部６を前記操縦部３より機体後側で且つ機体左右方向外側に配置し、前記残葉処理部５を機体の右側に向けて根菜類を搬送しながら不要な茎葉部を除去処理して前側に排出する構成とし、前記搬送部７を、前記残葉処理部５の前側個所から前記回収部６に向けて横方向に搬送する構成としたものである。
【００３４】
また、前記残葉処理部５の側方で且つ前記搬送部７の後方個所に前記搬送部７で搬送される根菜類の選別作業を行う作業者が搭乗するためのステップ４１を設けたものであって、更に、前記ステップ４１の機体平面視後側に前記搬送部７で搬送される根菜類の選別作業を行う作業者が座る座席４２を設けたものである。
【００３５】
このように構成した根菜類収穫機は、走行装置２により機体が自走し、操縦部３に搭乗した操縦者によって機体の操縦が行なわれる。そして、圃場内を走行して、機体の左側の前部側から後部側にわたって配置された収穫部４が、根菜類を圃場から引抜き搬送し茎葉部を切断して根菜類の根部側を収穫する。該収穫部４により収穫された根菜類は、残葉処理部５により、収穫部４の後側から機体の右側に向けて搬送されながら残存する不要な茎葉部が除去処理されて前側に排出される。そして、残葉処理部５から排出された根菜類は、搬送部７により、残葉処理部５の前側から、機体の右側の前部に配置した操縦部３より機体後側で且つ機体左右方向外側に配置した回収部６に向けて横方向に搬送される。この搬送部７で搬送された根菜類は、回収部６に設置された収容袋Ｂ内に放出されて収容される。そして、残葉処理部５の側方で且つ搬送部７の後方個所に設けたステップ４１上に作業者が搭乗し、この作業者が搬送部７で搬送される根菜類の選別作業を行う。また、ステップ４１上に搭乗した作業者は、搬送部７に向いた前向き姿勢で座席４２に座って根菜類の選別作業を行う。
【００３６】
よって、上記の根菜類収穫機は、収穫した根菜類を収容袋Ｂに収容する構成とし、且つ、収穫部４により収穫された根菜類に残存する不要な茎葉部を除去する残葉処理部５を備えた根菜類収穫機にあって、収穫部４により収穫された根菜類を横方向と前方向への搬送過程を経て且つ後方への搬送過程を経ないで収穫部４を配置した側とは左右反対側に配置した回収部６に搬送するものなので、従来よりも機体の前後長が短い構成となって、操縦性が良好となり、且つ、回収部６を操縦部３より機体後側で且つ機体左右方向外側に配置したものなので、従来よりも大きな収容袋を設置して一層多くの根菜類を収容することもできて作業能率の向上が図れる。更に、残葉処理部５の側方で且つ搬送部７の後方個所に形成される空間を利用して、そこに、搬送部７で搬送される根菜類の選別作業を行う作業者が搭乗できるようにしたものなので、根菜類の選別作業を機体に搭乗して楽に行なえ、且つ、機体構成もコンパクトなものとなる。また、根菜類の選別作業を行う作業者が座る座席４２を設けたものなので、根菜類の選別作業を一層楽に行なえ、且つ、機体構成もコンパクトなものとなる。
【００３７】
また、本例の根菜類収穫機１は、前記走行装置２は駆動回転する左右一対のクローラ８Ｌ，８Ｒを備え、前記収穫部４は機体の左右一方側に配置し、前記回収部６は機体の左右他方側に配置し且つ該回収部６を配置した側のクローラ８Ｒの左右外端部より回収部７の左右外端部が左右方向外側に位置する状態に配置している。そして、前記回収部６を配置した側のクローラ８Ｒの接地部を左右反対側のクローラ８Ｌの接地部より下方に位置する状態に下動可能に設けている。
【００３８】
根菜類収穫機１を作業走行させて畝の上面に成育している根菜類を収穫するとき、収穫部４を配置した側のクローラ８Ｌは畝の上面を走行し、回収部６を配置した側のクローラ８Ｒは畝間の溝を走行して、回収部６を配置した側が低くなるように機体が左右に傾斜する状態となる場合がある。このとき、回収部６を配置した側のクローラ８Ｒが走行する溝が深いと、そのクローラ８Ｒの左右外端部より左右方向外側に位置する回収部６の左右外端部が隣接する畝上面に接地してしまうことがある。しかしながら、この根菜類収穫機１は、回収部６を配置した側のクローラ８Ｒの接地部を左右反対側のクローラ８Ｌの接地部より下方に位置する状態に下動させることで、回収部６の左右外端部を上昇させて隣接する畝上面への接地を回避することが可能となる。従って、回収部６の左右外端部が地面に接地することによって機体の進行方向が左右にずれて収穫部４が根菜類の茎葉部を確実に挟持し難くなるのを回避できて、適確な収穫作業が行なえるようになる。また、収穫作業開始時において収穫作業する畝に隣接する畝の根菜類が未だ収穫されていない状態で収穫作業を行なう場合があるが、このような場合、上記のように機体が左右に傾いて回収部６の左右外端部が隣接する畝の根菜類の茎葉部を引っかけたり押し倒したりして、その畝の根菜類の収穫作業を適確に行い難くすることがある。しかし、この根菜類収穫機１は、回収部６を配置した側のクローラ８Ｒの接地部を左右反対側のクローラ８Ｌの接地部より下方に位置する状態に下動させることで、回収部６の左右外端部を上昇させて隣接する畝の根菜類の茎葉部を引っかけたり押し倒したりしないようにできる。
【００３９】
また、この根菜類収穫機１は、収穫部４に、根菜類の茎葉部を挟持して搬送する挟持搬送ベルト９Ｌ，９Ｒを左右に設け、該挟持搬送ベルト９Ｌ，９Ｒによって茎葉部が挟持されて根菜類の根部が吊下げ状態で搬送される途中で根部下端のひげ根に作用してひげ根を根部から除去するひげ根除去装置１０を設けている。
【００４０】
上記のように根菜類収穫機１が左右に傾斜すると、挟持搬送ベルト９Ｌ，９Ｒによって吊下げ状態で搬送される根菜類は、根部が機体に対して左右に移動することになる。このため、根菜類の根部下端がひげ根除去装置１０の除去作用部に対して左右にずれてしまい、ひげ根除去が適確に行えなくなる場合がある。しかしながら、この根菜類収穫機１は、回収部６を配置した側のクローラ８Ｒの接地部を左右反対側のクローラ８Ｌの接地部より下方に位置する状態に下動させることで機体の左右の傾きを小さく或は水平に修正できて、ひげ根除去が適確に行えるようになる。
【００４１】
畝間の溝は２５ｃｍ程度の深さになると、上記のような課題が顕著になる。従って、回収部６を配置した側のクローラ８Ｒの接地部が左右反対側のクローラ８Ｌの接地部と同高さの位置から下方に下動させる構成にあって、そのクローラ８Ｒの接地部の下動量を少なくとも１０ｃｍ以上に設定すると、上記のような効果を充分に得ることができ、また、当該下動量を２５ｃｍ以上に設定すれば、機体を左右水平状態まで修正可能となって上記のような効果を顕著に奏するものとなる。
【００４２】
また、収穫部４を機体の左右一方側に配置し、回収部６を機体の左右他方側に配置し且つ該回収部６を配置した側のクローラ８Ｒの左右外端部より回収部６の左右外端部が左右方向外側に位置する状態に配置し、クローラを下動させる機構を回収部６を配置した側のクローラ８Ｒにのみ設ける構成とすると、構成の簡略化が図れ、機体の軽量化やコストダウンが図れる。
【００４３】
なお、クローラを下動させる機構を操縦者による人為的操作に基づいて作動するように構成しても良いし、機体の左右の傾斜を検出する傾斜検出手段を設けて該傾斜検出手段の検出値に応じて自動的にクローラを下動させて機体の左右傾斜を小さく或は水平状態に変更する制御手段を設けても良い。
【００４４】
ところで、畝に沿って収穫作業走行しているときは、上記のように機体が左右に傾斜する状態となる場合があるが、畝端に至って収穫作業を停止し畝が形成されていない場所で機体を旋回させるときには、走行路が平坦な地面に移行することになる。そこで、操縦者による人為的操作に基づいてクローラを下動させる機構を設けた根菜類収穫機１において、機体旋回時の諸作動或は諸操作に連動して、回収部６を配置した側のクローラ８Ｒの接地部を左右反対側のクローラ８Ｌの接地部と同高さに自動的に復帰させる復帰作動手段を設ける。そうすると、上記のように畝端に到って機体を旋回させるときで機体が平坦な地面に移行した場合に、回収部６を配置した側のクローラ８Ｒの接地部が下降したままで機体が傾いてしまうのを適確に回避でき、機体の旋回が良好に行え、また、機体が傾いたままで旋回して左右のクローラがそれぞれ左右一方側に偏って設置してクローラが転輪から外れてしまうことも回避できる。
【００４５】
また、操縦者による人為的操作に基づいてクローラを下動させる機構を設けた根菜類収穫機１において、機体旋回時の諸作動或は諸操作が行われたことを検知して操縦者に報知する報知手段を設けた構成とし、操縦者がその報知手段による報知に対応して回収部６を配置した側のクローラ８Ｒの接地部を左右反対側のクローラ８Ｌの接地部と同高さに人為的に復帰させる動作を行わせる操作を行うようにしても良い。このようにすると、上記復帰作動手段を設けるよりも安価で構成できて、且つ、機体が傾いたままで旋回するようなことも回避することができる。
【００４６】
更にまた、操縦者による人為的操作に基づいてクローラを下動させる機構を設けた根菜類収穫機１において、回収部６を配置した側のクローラ８Ｒの接地部が設定量以上下降していることを検出すると、また、左右反対側のクローラ８Ｌの接地部と同高さになっていない状態を検知すると、或は、機体に設けた左右傾斜検出手段によって機体が設定角度以上に収穫部４を配置した側が低く傾斜していることを検出すると、機体旋回時の諸作動或は諸操作を規制する規制手段を設ける構成とし、必ず、回収部６を配置した側のクローラ８Ｒの接地部が左右反対側のクローラ８Ｌの接地部と同高さに復帰操作が行われた後に機体の旋回が行われるようにすることもできる。このようにすると、上記復帰作動手段を設けるよりも安価で構成でき、また、上記報知手段を設けた構成よりも確実に機体が傾いたままで旋回するようなことを回避することができる。
【００４７】
なお、機体旋回時の諸作動或は諸操作には、具体的には、収穫部４の作動停止或は作動停止操作、収穫部４の非作業位置への上昇作動或は上昇作動操作、左右一方側のクローラへの伝動遮断或は電動遮断操作、左右一方側のクローラの回転の制動及び制動操作等があり、これらのうちの一つ或は複数の諸作動或は諸操作に上記復帰作動手段や上記報知手段を作動させる。上記復帰作動手段の連動機構は、電気的に構成しても機械的に構成しても良い。また、左右一方側のクローラへの伝動遮断或は電動遮断操作、或は、左右一方側のクローラの回転の制動及び制動操作は、機体旋回時だけでなく、作業走行中に行う進路修正の時にも作動或は操作される。従って、進路修正時に行うような設定時間以内の短い間での作動或は操作であるときには、上記復帰作動手段や上記報知手段は作動しないように設定すると一層操作性が向上する。上記報知手段の具体例としては、ブザー等の音声を出したりランプを点灯させたりして報知する構成がある。
【００４８】
また、収穫物が機体上に満載状態となったとき積載した収穫物をトラック等に搬出するために圃場外に出て機体を移動させる場合にも、走行路が平坦な地面に移行することになる。そこで、操縦者による人為的操作に基づいてクローラを下動させる機構を設けた根菜類収穫機１において、機体の走行速度を作業走行速度から移動走行速度に変速或は変速操作するのに連動して回収部６を配置した側のクローラ８Ｒの接地部を左右反対側のクローラ８Ｌの接地部と同高さに自動的に復帰させる復帰作動手段を設ける。そうすると、上記のように積載した収穫物をトラック等に搬出するために平坦な地面を移動するときに、機体が傾いたままで移動することがなくなり、機体の操縦が良好に行える。
【００４９】
更に、操縦者による人為的操作に基づいてクローラを下動させる機構を設けた根菜類収穫機１において、回収部６を機体内側に移動させて収納可能に設け、回収部６の機体内側への移動に連動して回収部６を配置した側のクローラ８Ｒの接地部を左右反対側のクローラ８Ｌの接地部と同高さに自動的に復帰させる復帰作動手段を設けると、機体が左右に傾いた状態でトラックへの積降しを行うような事態を回避でき、安全性が向上する。
【００５０】
根菜類収穫機１は、圃場に成育する根菜類の周囲の土を掘起す掘起し体１１を収穫部４に設けて、収穫作業走行時に該掘起し体１１を土中を進行させて根菜類の抜取りが容易に行えるようにしている。そして、根菜類収穫機１は、収穫作業走行時に、収穫部４を配置した側のクローラ８Ｌが畝の上面を走行し、回収部６を配置した側のクローラ８Ｒが畝間の溝を走行して、機体が左右に傾斜する状態となる場合、掘起し体１１を設けた収穫部４を配置した側のクローラ８Ｌの接地部は上下動不能に構成し、収穫部４を配置した側とは左右反対側のクローラ８Ｒの接地部は上下動可能に構成して、機体の左右傾斜を小さく或は水平状態に修正するように設けている。掘起し体を設けた収穫部を配置した側のクローラの接地部を上下動すると、その上下動時に掘起し体が上下変動しやすくなり掘起し深さの変動が大きくなるが、上記のように掘起し体１１を設けた収穫部４を配置した側とは左右反対側のクローラ８Ｒの接地部のみを上下動可能に構成しているので、機体の左右傾斜の修正作動時に掘起し体１１の上下変動が生じにくくなり、根菜類の圃場からの抜取り作業が適確に行えるようになる。
【００５１】
なお、掘起し体１１或は掘起し体１１を設けた収穫部４に左右傾斜を検出する傾斜検出手段を設け、該傾斜検出手段の検出結果に基づいて掘起し体１１或は掘起し体１１を設けた収穫部４を左右水平状態になるように収穫部４を機体側に対して左右角度変更する手段を設けると、掘起し体１１の左右方向の姿勢が安定し、機体の左右傾斜によって掘起し体１１が左右に傾くことによって掘起し体１１が土中の根菜類に接触して傷つけるようなことを生じにくくできる。
【図面の簡単な説明】
【００５２】
【図１】根菜類収穫機の左側面図。
【図２】根菜類収穫機の右側面図。
【図３】根菜類収穫機の平面図。
【図４】根菜類収穫機の背面図。
【図５】収穫部を配置した側の走行装置の左側面図。
【図６】収穫物積載部を配置した側の走行装置の右側面図。
【符号の説明】
【００５３】
１      根菜類収穫機
２      走行装置
３      操縦部
４      収穫部
５      残葉処理部
６      回収部
７      搬送部（搬送手段）
３９ 支持台
４０ 収容袋上部支持手段
４１ ステップ
４２ 座席
４４ 昇降駆動装置